(57)【要約】      （修正有）【課題】１本の絶縁操作棒の操作により簡単且つ容易にスリーブを圧縮することが可能な絶縁操作棒用圧縮ペンチを提供する。【解決手段】圧縮ペンチ１０は、一対のハンドル１１、１２と、これらハンドルの遠近動により互いに遠近して開閉する一対のダイス１３、１４と、一方のハンドル１１をヤットコ４の一方の把持アーム５に固定的に接続する固定側接続具１５と、他方のハンドル１２をヤットコ４の他方の把持アーム６に可動自在に接続する可動側接続具２０と、を備える。可動側接続具２０は、ペンチ側接続部材とヤットコ側接続部材とを有し、これら接続部材のうち、一方の接続部材に長孔２１を形成し、他方の接続部材に上記長孔２１に摺動自在に嵌合する摺動ピン２２を設けて、ヤットコ４の把持アーム５、６の遠近動による動きと圧縮ペンチ１０のハンドル１１、１２の動きとの違いを長孔２１に摺動自在に嵌合した摺動ピン２２の動きで吸収するようにする。【選択図】図１
2020036406.tif 000002
【特許請求の範囲】
【請求項１】
絶縁操作棒の先端に取り付けられ、一対の把持アームを有するヤットコに接続され、電線が挿入されたスリーブを圧縮するための絶縁操作棒用圧縮ペンチであって、
一対のハンドルと、
該ハンドルの遠近動により互いに遠近して開閉する一対のダイスと、
前記一対のハンドルのうち、一方のハンドルは前記ヤットコの一方の把持アームに固定的に接続する固定側接続具と、
前記一対のハンドルのうち、他方のハンドルは前記ヤットコの他方の把持アームに可動自在に接続する可動側接続具と、を備え
該可動側接続具は、ペンチ側接続部材とヤットコ側接続部材とを有し、これら接続部材のうち、一方の接続部材に長孔を形成し、他方の接続部材に上記長孔に摺動自在に嵌合する摺動ピンを設けて、
ヤットコの把持アームの遠近動による動きと圧縮ペンチのハンドルの動きとの違いを長孔に摺動自在に嵌合した摺動ピンの動きで吸収するようにした
ことを特徴とする絶縁操作棒用圧縮ペンチ。
【請求項２】
前記固定側接続具は、ペンチ側取付部に貫通孔を設けるとともに該貫通孔の周縁に菊座部を設け、また、ヤットコ側取付部に貫通孔を設けるとともに該貫通孔の周縁に菊座部を設け、２つの菊座部が合わさる状態で貫通孔にネジを挿通してペンチ側取付部とヤットコ側取付部とをネジ止めした
ことを特徴とする請求項１に記載の絶縁操作棒用圧縮ペンチ。
【請求項３】
対向する２つのダイスのうち、少なくとも一方のダイスの圧縮面に、２つ以上の圧縮突起を設けた
ことを特徴とする請求項１又は請求項２に記載の絶縁操作棒用圧縮ペンチ。
【請求項４】
前記固定側接続具はペンチ側固定用アダプタと絶縁棒側固定用アダプタとを備え、ペンチ側固定用アダプタと絶縁棒側固定用アダプタとを固定的な接続とし、
前記可動側接続具はペンチ側可動用アダプタと絶縁棒側可動用アダプタとを備え、ペンチ側可動用アダプタと絶縁棒側可動用アダプタとの接続を可動自在な接続とした
ことを特徴とする請求項１、請求項２又は請求項３に記載の絶縁操作棒用圧縮ペンチ。
【発明の詳細な説明】
【技術分野】
【０００１】
この発明は、絶縁操作棒の先端部に取り付けられる先端工具であって、スリーブなどを圧縮、圧着等の行う工具に関する。
【背景技術】
【０００２】
近年、安全性をより確保するために、間接活線工具を用いて通電状態のままで作業を行う間接活線工法が、広く採用されている。この間接活線工具は、絶縁操作棒（ホットスティック）の先端部に用途、目的に適した先端工具を取り付けて作業を行うものであり、例えば、スリーブを圧縮するための先端工具として絶縁操作棒用圧縮ペンチが知られている（例えば、特許文献１参照。）。
【０００３】
この絶縁操作棒用圧縮ペンチは、例えば、高圧引下線以下の停電作業において、引下線（ＥＰ）を切断して停電作業した後に、スリーブを介して引下線同士を接続するための、手動式の圧縮ペンチであり、ペンチ本体に開閉リンクとハンドルとが配設されている。そして、電線の先端部が挿入されたスリーブに、ペンチ本体の受け部を位置させて、ハンドルを引き下げると開閉リンクが閉じ、これに伴ってペンチ本体が閉じる。これにより、圧縮部が受け部に接近して、圧縮部と受け部とによってスリーブが圧縮され、電線同士がスリーブを介して接続されるものである。
【先行技術文献】
【特許文献】
【０００４】
【特許文献１】特開２００８−１２５２９２号公報
【発明の概要】
【発明が解決しようとする課題】
【０００５】
ところで、スリーブで電線を接続する際には、円筒状のスリーブの両端から電線の先端部を挿入し、ヤットコ状の先端工具を備えた間接活線工具で２つの電線を保持しながら、絶縁操作棒用圧縮ペンチでスリーブを圧縮しなければならない。すなわち、絶縁操作棒用圧縮ペンチを保持する間接活線工具と、絶縁操作棒用圧縮ペンチのハンドルを操作する間接活線工具と、電線を保持する２つの間接活線工具という、４つの間接活線工具を複数の作業者で使用、操作しなければならない。
【０００６】
このため、息の合った操作、精度が高い操作が必要となる。特に、電線をスリーブ内に適正に挿入してその状態を維持し、かつ、重い絶縁操作棒用圧縮ペンチのペンチ本体の受け部をスリーブに適正に位置させなければならない。このため、スリーブ（電線）と絶縁操作棒用圧縮ペンチとの位置関係が定まりにくく（位置決めが難しく）、また、両者の位置決めができたとしてもペンチの圧着するために、別の操作棒でペンチを操作する必要があり、このとき、ペンチを支えた操作棒とペンチを操作する操作棒との息が合わなければ、スリーブと電線とが位置ずれを起こし適正な圧着ができないという問題もあり、作業が困難で熟練を要するばかりでなく、スリーブを変形させてしまうおそれがあった。
【０００７】
さらに、ヤットコを備えた絶縁操作棒に圧縮ペンチを接続できれば、１本の絶縁操作棒での操作でスリーブの圧縮作業を行うことが可能かもしれないが、ヤットコと圧縮ペンチのハンドルとの開き角度、開き量（ストローク）は大きく異なっているため、圧縮ペンチをヤットコに接続することは困難であった。
【０００８】
そこでこの発明は、間接活線工法において使用する絶縁操作棒を少なくし、簡単かつ容易で熟練を要しないで適正にスリーブを圧縮することが可能な絶縁操作棒用圧縮ペンチを提供することを目的とする。
【課題を解決するための手段】
【０００９】
上記課題を解決するために、請求項１の発明は、絶縁操作棒の先端に取り付けられ、一対の把持アームを有するヤットコに接続され、電線が挿入されたスリーブを圧縮するための絶縁操作棒用圧縮ペンチであって、一対のハンドルと、該ハンドルの遠近動により互いに遠近して開閉する一対のダイスと、前記一対のハンドルのうち、一方のハンドルは前記ヤットコの一方の把持アームに固定的に接続する固定側接続具と、前記一対のハンドルのうち、他方のハンドルは前記ヤットコの他方の把持アームに可動自在に接続する可動側接続具と、を備え、該可動側接続具は、ペンチ側接続部材とヤットコ側接続部材とを有し、これら接続部材のうち、一方の接続部材に長孔を形成し、他方の接続部材に上記長孔に摺動自在に嵌合する摺動ピンを設けて、ヤットコの把持アームの遠近動による動きと圧縮ペンチのハンドルの動きとの違いを長孔に摺動自在に嵌合した摺動ピンの動きで吸収するようにした、ことを特徴とする。
【００１０】
請求項２の発明は、請求項１に記載の絶縁操作棒用圧縮ペンチにおいて、前記固定側接続具は、ペンチ側取付部に貫通孔を設けるとともに該貫通孔の周縁に菊座部を設け、また、ヤットコ側取付部に貫通孔を設けるとともに該貫通孔の周縁に菊座部を設け、２つの菊座部が合わさる状態で貫通孔にネジを挿通してペンチ側取付部とヤットコ側取付部とをネジ止めした、ことを特徴とする。
【００１１】
請求項３の発明は、請求項１又は請求項２に記載の絶縁操作棒用圧縮ペンチにおいて、ダイスのスリーブを圧着する面に２つ以上の圧縮突起が設けられた、ことを特徴とする。
【００１２】
請求項４の発明は、請求項１、請求項２又は請求項３に記載の絶縁操作棒用圧縮ペンチにおいて、前記固定側接続具はペンチ側固定用アダプタと絶縁棒側固定用アダプタとを備え、ペンチ側固定用アダプタと絶縁棒側固定用アダプタとを固定的な接続とし、前記可動側接続具はペンチ側可動用アダプタと絶縁棒側可動用アダプタとを備え、ペンチ側可動用アダプタと絶縁棒側可動用アダプタとの接続を可動自在な接続とした、ことを特徴とする。
【発明の効果】
【００１３】
請求項１の発明によれば、ヤットコと圧縮ペンチとの接続を、一方のハンドルは前記ヤットコの一方の把持アームに固定的に接続する固定側接続具に、他方のハンドルは前記ヤットコの他方の把持アームに可動自在に接続する可動側接続具にすることで、ヤットコと圧縮ペンチとの接続が可能となる。すなわち、ヤットコの一対の把持アームと圧縮ペンチの一対のハンドルとの開き角度、開き量（ストローク）の相違から来る両者の動きの違いを長孔に摺動自在に嵌合した摺動ピンの動きで吸収するようにして両者の接続を可能とする。そのため、圧縮ペンチを保持する操作棒と圧縮ペンチの圧縮動作を操作する操作棒とを１つの絶縁操作棒で行うことができ、間接活線呼法において使用する絶縁操作棒を少なくすることができ、簡単且つ容易で熟練を要しないで適正にスリーブを圧縮することが可能となる。
【００１４】
請求項２の発明によれば、ペンチ側取付部とヤットコ側取付部とにそれぞれ貫通孔を設け、これら貫通孔の周縁に菊座部を設け、これら菊座部が合わさる状態で貫通孔をネジ止めしたので、固定した接続具を構成することができるとともに、２つの貫通孔をネジ止めしたので、ネジが緩んだとしても接続具が離脱することはなく、高所での作業を安全に行うことができる。
【００１５】
請求項３の発明によれば、１回の圧着動作でスリーブに少なくとも２箇所の圧縮を行うことができ、圧縮作業の作業工数を少なくすることができるとともに、その前段階としての位置合わせも一回で済み、作業の効率化を図ることができる。
【００１６】
請求項４の発明によれば、固定側接続具及び可動側接続具をそれぞれペンチ側アダプタと絶縁操作棒側アダプタとから構成し、各アダプタの大きさ、形状に自由度を持たせることができ、既存の圧縮ペンチをそのまま接続することが可能となる。
【図面の簡単な説明】
【００１７】
【図１】図２と共に、この発明の実施の形態１に係る絶縁操作棒用圧縮ペンチを絶縁操作棒の先端に取り付けた状態を示し、本図は圧縮する前の状態を示す正面図である。
【図２】絶縁操作棒の操作で圧縮ペンチを圧縮した状態を示す正面図である。
【図３】圧縮ペンチのダイスを拡大して示す分解斜視図である。
【図４】図５と共に、この発明の実施の形態２に係る絶縁操作棒用圧縮ペンチを絶縁操作棒の先端に取り付けた状態を示し、本図は圧縮する前の状態を示す正面図である。
【図５】絶縁操作棒の操作で圧縮ペンチを圧縮した状態を示す正面図である。
【発明を実施するための形態】
【００１８】
以下、この発明を図示の実施の形態に基づいて説明する。
【００１９】
（実施の形態１）
図１〜図３は、この発明の実施の形態１を示し、図１及び図２は、絶縁操作棒用圧縮ペンチを絶縁操作棒の先端に取り付けた状態を示し、図１は圧縮する前の状態を示す正面図であり、図２は圧縮した後の状態を示す正面図である。図３は圧縮部を拡大して示す分解斜視図である。
【００２０】
この実施の形態１に係る絶縁操作棒用圧縮ペンチは、既存の圧縮ペンチのハンドル部を改造して、ヤットコの先端把持アームと接続しやすくしたものである。
【００２１】
絶縁操作棒１は絶縁棒本体２と操作棒３とからなり、先端部にヤットコ４が取り付けられている。
【００２２】
ヤットコ４は固定把持アーム（把持アーム）５と可動把持アーム（把持アーム）６とを有し、上記操作棒３を操作することにより可動把持アーム６が動き、固定把持アーム５と遠近してヤットコ３が開閉するようになっている。
【００２３】
圧縮ペンチ１０は、一対のハンドル１１、１２と、これらハンドル１１、１２の遠近動により互いに遠近して開閉する一対のダイス１３、１４とを有する。
【００２４】
一対のハンドル１１、１２は、一方が固定ハンドル１１でその先端に上記固定ダイス１３が設けられ、他方のハンドル１２が可動ハンドル１２でその先端に上記可動ダイス１４が設けられている。
【００２５】
固定ハンドル１１の基端部は上記ヤットコ４の固定把持アーム５に固定側接続具１５を介して接続されるための取付部となっており、取付部には貫通孔１６が形成され、また貫通孔１６を取巻くように菊座部１７が設けられている。このような取付部は既存の圧縮ペンチを改造して作られる。
【００２６】
固定側接続具１５は前記ヤットコ４の固定把持アーム５を挟持する挟持片１５ａと上記固定ハンドル１１の取付部に接続する取付片１５ｂとからなる。
【００２７】
固定側接続具１５は、その挟持片１５ａの一方の腕に止めネジが螺合されており、固定把持アーム５を挟持した状態で止めネジ１８を締付けることで固定把持アーム５に固定される。
【００２８】
固定側接続具１５の取付片１５ｂには、貫通孔１９が形成され、また貫通孔１９を取巻くように菊座部が設けられている。尚、取付片１５ｂの菊座部は図１、図２において紙面背面側に形成されているため図面上表現はされていない。また、図１、図２において圧縮ペンチ１０の固定ハンドル１１側の菊座部１７を表現するため、固定側接続具１５の一部を切り欠き一点鎖線で示した。尚、後述する実施の形態２における図４及び図５においても同じように表現した。
【００２９】
そして、固定把持アーム５に取付けられた固定側接続具１５の取付片１５ｂの菊座部を前記固定ハンドル１１の菊座部１７に合わさるように位置させ、貫通孔１６、１９にネジ（図示は省略する。）を挿通してネジ止めすることにより、ヤットコ４の固定把持アーム５と圧縮ペンチ１０の固定ハンドル１１とが固定的に接続されることになる。
【００３０】
取付片１５ｂの菊座部と固定ハンドル１１の菊座部１７とが合わさる状態で取り付けられるため、両者は固定的な接続が成され、かつ、２つの貫通孔１６、１９を中心に角度を適宜設定できるようになっている。また、貫通孔１６、１９をネジ止め（図示は省略する。）することにより、ネジが多少緩んでも固定側接続具１５から脱落することはない。
【００３１】
一般的に、菊座部を付き合わせて接続する場合、一方の取付片にはＣリング状に切り欠いたものが多いが、ネジが少しでも緩むと一方の部材がＣリング状切欠から脱落してしまう。絶縁操作棒１を用いる作業は高所での作業であり、圧縮ペンチなどの工具の落下は重大な事故に発展してしまうため、絶対に避けなければならないことである。この実施の形態１に係る圧縮ペンチ１０はこのような事故を未然に防ぐことができる。
【００３２】
可動ハンドル１２の基端部は上記ヤットコ４の可動把持アーム６に可動側接続具２０を介して接続されるための取付部となっており、取付部は可動ハンドル１２の長手方向に延びるように長孔２１が形成されている。このような取付部は既存の圧縮ペンチを改造して作られる。
【００３３】
可動側接続具２０は、前記ヤットコ４の可動把持アーム６を挟持する挟持片２０ａと上記可動ハンドル１１の取付部に接続する取付片２０ｂとからなる。
【００３４】
可動側接続具２０は、その挟持片２０ａの一方の腕に止めネジが螺合されており、可動把持アーム６を挟持した状態で止めネジ１８を締付けることで可動把持アーム６に固定される。
【００３５】
可動側接続具２０の取付片２０ｂには、前記可動ハンドル１２に形成された長孔２１に摺動自在に嵌合する摺動ピン２２が立設されている。
【００３６】
そして、可動把持アーム６に取付けられた可動側接続具２０は、取付片２０ｂの摺動ピン２２を上述のように、可動ハンドル１２の長孔２１に嵌合させることにより、ヤットコ４の可動把持アーム６に圧縮ペンチ１０の可動ハンドル１２が可動自在に接続することになる。なお、摺動ピン２２は長孔２１から外れないようになっている。
【００３７】
このように長孔２１が形成された可動ハンドル１２は可動側接続具２０を構成する一方の接続部材として、また、摺動ピンが立設された取付片２０ｂは可動側接続具２０を構成する他方の接続部材として機能する。
【００３８】
しかして、絶縁操作棒１の操作棒３を操作すると、先端のヤットコ４の可動把持アーム６が回動し、固定把持アーム４との間隔が遠近動作をする。これに伴い、圧縮ペンチ１０の固定ハンドル１１と可動ハンドル１２とを遠近動させることになり、圧縮ペンチ１０先端のダイス１３、１４が遠近動することになる。
【００３９】
２つのダイス１３、１４の少なくとも一方のダイスの圧縮面には２つの圧着突起３５、３５が並設されている（図３）。これにより、スリーブ３０を圧縮したときに１回の圧縮動作で２つの圧着部を形成することができ、圧縮動作を少なくすることができ簡単かつ容易な圧縮動作を実現することができる。
【００４０】
図３はスリーブ３０と、該スリーブ３０に挿入する前の電線３１、３１と、２つのダイス１３、１４の位置関係を示す拡大した斜視図である。
【００４１】
圧縮ペンチ１０の２つのハンドル１１、１２が最も開いた状態（図１）で、これらの先端に設けられた２つのダイス１３、１４がもっとも離間した状態になっており、この状態で、スリーブ３０を両ダイス１３、１４間に位置させる。
【００４２】
２つのダイス１３、１４は、固定ハンドル１１側に取り付けられえたダイスが固定ダイス１３で、可動ハンドル１２側に取り付けられたダイスが可動ダイス１４となっており、これにより、ヤットコ４の固定把持アーム５と圧縮ペンチ１０の固定ハンドル１１とこれらの固定側接続具１５のように固定側部材（操作棒３を操作しても可動しない部材）となっているため、スリーブ３０に対して位置合わせした後、スリーブ３０を固定ダイス１３に接触させた状態で圧縮動作を行えば位置ずれを防止することができる。
【００４３】
また、他の絶縁操作棒によりスリーブ３０内にはその両端から電線３１、３１が挿入されており、この状態で絶縁操作棒１の操作棒３を操作することにより、ダイス１３、１４で圧縮を行う（図２）。
そして、可動把持アーム６と可動ハンドル１２との２箇所の接続箇所のうち、一方を可動自在な接続としたことで、把持アーム５、６とハンドル１１、１２とのそれぞれの開き角度、開き量（ストローク）が異なっていても、その動きの差を吸収することでき、両者（ヤットコの把持アームと圧縮ペンチのハンドル）の接続を可能とする。結果として、１つの絶縁操作棒１で圧縮ペンチ１０の保持と操作を可能とし、圧縮動作は１本の絶縁操作棒１に行うことができ、簡単かつ容易にスリーブ３０の圧縮を行うことができる。
【００４４】
（実施の形態２）
図４及び図５は、この発明の実施の形態２を示し、図４は圧縮する前の状態を示す正面図、図５は圧縮した後の状態を示す正面図である。
【００４５】
この実施の形態２は、既存の圧縮ペンチを改造せず、そのままの状態でヤットコの先端把持アームに接続したものである。
【００４６】
なお、この実施の形態２が上記実施の形態１と相違するのは、ヤットコの先端把持アームに圧縮ペンチを接続するための接続具である。従って、実施の形態２の説明するにあたっては、主に相違部分について説明し、他の部分については同一符号を付してその説明は省略する。
【００４７】
ヤットコ４の固定把持アーム５と圧縮ペンチ４０の固定ハンドル４１とを接続する固定側接続具５０は、ペンチ側固定用アダプタ５１と絶縁棒側固定用アダプタ５２とを備え、ベンチ側固定用アダプタ５１と絶縁棒側固定用アダプタ５２とが接続される。
【００４８】
ペンチ側固定用アダプタ５１は固定ハンドル４１の基端部を覆うスリーブ状の取付部５３と該取付部５３から延出するように一体に設けられた平板状の接続片５４とを備える。
【００４９】
取付部５３の上面にはネジ孔が形成され、該ネジ孔に止めネジ５５が螺合されており、取付部５３を固定ハンドル４１の基端部にこれを覆うように外嵌して上記止めネジ５５を締め付けることで固定ハンドル４１にペンチ側固定用アダプタ５１が取り付けられる。
【００５０】
また、ペンチ側固定用アダプタ５１の接続片５４には貫通孔５６が形成され該貫通孔５６を取巻くように菊座部５７が設けられている。
【００５１】
絶縁棒側固定用アダプタ５２は上記実施の形態１で説明した固定側接続具１５とほぼ同じ構成をしているため、各部の説明は同一符号を付すことにより省略する。
【００５２】
そして、固定把持アーム５に取りつけられた絶縁棒側固定用アダプタ５２の取付片１５ｂの菊座部を前記ペンチ側固定用アダプタ５１の接続片５４の菊座部５７に合わさるように位置させ、貫通孔１６、５６にネジ（図示は省略する。）を挿通してネジ止めすることにより、ヤットコ４の固定把持アーム５と圧縮ペンチ１０の固定ハンドル４１とが固定的に接続されることになる。
【００５３】
ヤットコ４の可動把持アーム６と圧縮ペンチ４０の可動ハンドル４２とを接続する可動側接続具６０は、ペンチ側可動用アダプタ６１と絶縁棒側可動用アダプタ６２とを備え、ベンチ側可動用アダプタ６１と絶縁棒側可動用アダプタ６２とが接続される。
【００５４】
ペンチ側可動用アダプタ６１は可動ハンドル４２の基端部を厚み方向から挟持する挟持部６３と該挟持部６３から可動ハンドル４２に直交する方向でかつハンドル内側に延びる平板片６４とを備える。
【００５５】
挟持部６３の上面にはネジ孔が形成され、該ネジ孔に止めネジ６６が螺合されており、挟持部６３で可動ハンドル４２の基端部を厚さ方向で挟持して上記止めネジ６６を締め付けることで可動ハンドル４２にペンチ側可動用アダプタ６１が取り付けられる。
【００５６】
また、ペンチ側可動用アダプタ６１の平板片６４にはその先端近傍に立設する摺動ピン６５が設けられている。
【００５７】
絶縁棒側可動用アダプタ６２は可動把持アーム６を挟持する挟持片６２ａと該挟持片６２ａから前方に延びるプレート片６２ｂとからなり、プレート片６２ｂにはその長手方向に延びる長孔６７が設けられている。
【００５８】
絶縁棒側可動用アダプタ６２はその挟持片６２ａの一方の腕に止めネジが螺合されており、可動把持アーム６を挟持した状態で止めネジ１８を締付けることで可動把持アーム６に取り付けられる。
【００５９】
このように長孔６７が形成されたプレート片６２ｂは可動側接続具６０を構成する一方の接続部材として、また、摺動ピン６５が立設された平板片６４は可動側接続具６０を構成する他方の接続部材として機能する。
【００６０】
しかして、絶縁操作棒１の操作棒３を操作すると、先端のヤットコ４の可動把持アーム６が回動し、固定把持アーム４との間隔が遠近動作をする。これに伴い、圧縮ペンチ４０の固定ハンドル４１と可動ハンドル４２とを遠近動させることになり、圧縮ペンチ４０先端のダイス１３、１４が遠近動することになる。
【００６１】
この実施の形態２に係る圧縮ペンチ４０によれば、圧縮動作は１本の絶縁操作棒１に行うことができ、簡単かつ容易にスリーブ３０の圧縮を行うことができる。
【００６２】
このように実施の形態２にあっては、固定側接続具５０及び可動側接続具６０をそれぞれペンチ側アダプタ５１、６１と絶縁操作棒側アダプタ５２、６２とから構成し、各アダプタ５１、６１、５２、６２の大きさ、形状を自由に設計することができ、既存の圧縮ペンチ４０をそのまま（無改造のまま）接続することが可能となる。
【００６３】
尚、上記各実施の形態において、圧縮ペンチとして一方のハンドルが固定ハンドルで他方のハンドルが可動ハンドルのものに適用したものについて説明したが、本発明はこれに限らず、２つのハンドルが協働して同じような動きをするものであっても良い。
【００６４】
また、上記各実施の形態において、ヤットコの先端の把持アームがほぼ上方を向いたものについて説明したが、本発明はこれに限らず、横方向を向いたヤットコにも適用することができる。
【符号の説明】
【００６５】
１        絶縁操作棒
４        ヤットコ
５        固定把持アーム
６        可動把持アーム
１０      圧縮ペンチ
１１      固定ハンドル
１２      可動ハンドル
１３      固定ダイス
１４      可動ダイス
１５      固定側接続具
２０      可動側接続具
３０      スリーブ
４０      圧縮ペンチ
４１      固定ハンドル
４２      可動ハンドル
４３      固定ダイス
４４      可動ダイス
５０      固定側接続具
５１      ペンチ側固定用アダプタ
５２      絶縁棒側固定用アダプタ
６０      可動側接続具
６１      ペンチ側可動用アダプタ
６２      絶縁棒側可動用アダプタ
【図１】
2020036406.tif 000003
【図２】
2020036406.tif 000004
【図３】
2020036406.tif 000005
【図４】
2020036406.tif 000006
【図５】
2020036406.tif 000007